(57)【要約】実施形態は、プリアンブルシンボルを生成し、また、プリアンブルシンボルを含む信号を送信および受信するする装置および方法を含む。  ピーク対平均パワー比（ＰＡＰＲ）を低くしつつ、頑強で簡単なフレーム検出及び同期、および、埋め込まれた信号データの低い複雑性での迅速かつ確実な検出を達成するプリアンブルシンボルが提案されている。提案されたプリアンブルシンボルは、前方部分、中央部分及び後方部分を示す３つの部分を有する。  前方部分及び後方部分は、プリアンブル検出、粗時間同期及び分数周波数誤差推定に使用される類似の相関系列を含む。  一方、中央部分は、所定の基準情報、及び、粗周波数同期及びデータ搬送に使用される信号データを含むサンプルの連続したブロックを含む。
2022501914.tif 000002
【特許請求の範囲】
【請求項１】
少なくとも１つのプリアンブルシンボルを生成するシンボル生成器であって、
前方部、中央部、及び後方部を有するベクトルを供給するバッファであって、前記中央部は第１の部分及び第２の部分をそれぞれ含む複数の連続するブロックに配置される、バッファと、
時間領域において、
前記前方部に前方パイロットサンプルを、
前記中央部に複数の連続するサンプルのブロックを、
前記後方部に後方パイロットサンプルを
挿入するシンボルプロセッサであって、
前記前方パイロットサンプル及び前記後方パイロットサンプルは、類似の相関系列を搬送するよう構成され、
前記複数の連続するサンプルのブロックのそれぞれは、前記中央部の前記第１の部分及び前記第２の部分にそれぞれ適合するように構成された第１部及び第２部に配置され、各前記第１部は所定の基準情報を搬送するように構成されたパイロットサンプルを含み、少なくとも１つの前記第２部は信号データを搬送するように構成されたデータサンプルを含む、シンボルプロセッサと、
所定のオーバーサンプリングレートに従って前記ベクトルのＤＦＴ−拡散−ＯＦＤＭ変調を実行する、第１の変調プロセッサであって、
前記ベクトルの時間領域サンプルは、離散フーリエ変換、ＤＦＴ、演算によって、周波数領域に変換され、それにより、周波数領域サンプルが生成され、
前記周波数領域サンプルは、逆離散フーリエ変換、ＩＤＦＴ、演算によって、時間領域に変換され、それによって、オーバーサンプルされた時間領域サンプルが生成される、第１の変調プロセッサと、
を含む、シンボル生成器。
【請求項２】
前記バッファは、さらに、前記前方部に巡回ポストフィックス部を提供し、前記後方部に第１の巡回プレフィックス部を提供するように構成され、
前記シンボルプロセッサはさらに、前記時間領域において、
巡回ポストフィックスパイロットサンプルを前記巡回ポストフィックス部に、
巡回プレフィックスパイロットサンプルを前記第１の巡回プレフィックス部に、
挿入するよう構成され、
前記巡回ポストフィックスパイロットサンプルは、前記前方部の所定の複数の前方パイロットサンプルのコピーを含み、
前記巡回プレフィックスパイロットサンプルは、前記後方部の所定の複数の後方パイロットサンプルのコピーを含む、請求項１に記載のシンボル生成器。 
【請求項３】
前記ＤＦＴ−拡散−ＯＦＤＭ変調を実行する前に、所定のスクランブル系列に従って、前記プリアンブルシンボルの前記複数の連続するサンプルのブロックをスクランブルするよう構成される、スクランブル部をさらに含む、請求項１または２に記載のシンボル生成器。
【請求項４】
前記ＤＦＴ−拡散−ＯＦＤＭ変調を実行する前に、前記前方部に関係づけられた第１の元のサンプルが前記ＤＦＴ−拡散−ＯＦＤＭ変調のサンプリング時点に整列されるように、前記後方部に関係づけられた第１の元のサンプルが前記ＤＦＴ−拡散−ＯＦＤＭ変調のサンプリング時点に整列されるよう、前記後方部の前記時間領域サンプルを、前記時間領域で遅延させるよう構成される、遅延部をさらに含む、請求項１から３のいずれか１項に記載のシンボル生成器。
【請求項５】
前記第１の変調プロセッサは、前記後方部に対する別個のＤＦＴ−拡散−ＯＦＤＭ変調を実行するようさらに構成され、
該シンボル生成器は、前記前方部に関係づけられた第１の元のサンプルが前記ＤＦＴ−拡散−ＯＦＤＭ変調のサンプリング時点に整列されるように、前記後方部に関係づけられた第１の元のサンプルが該ＤＦＴ−拡散−ＯＦＤＭ変調のサンプリング時点に整列されるよう、前記後方部に関係づけられた前記周波数領域サンプルに、周波数領域において、線形移相を適用する、線形移相器をさらに含む、請求項１から３のいずれか１項に記載のシンボル生成器。
【請求項６】
信号を送信する送信機であって、
少なくとも１つのプリアンブルシンボルを生成する、請求項１から５のいずれか１項に記載のシンボル生成器と、
前記生成されたプリアンブルシンボルを含む少なくとも１つの信号フレームを供給する、信号フレームプロセッサと、
所定の多重化スキームに従って、前記信号フレームを変調し、それにより、変調信号を生成する、第２の変調プロセッサと、
少なくとも１つの送信チャネルを介して、前記変調信号を送信する、送信部と
を含む、送信機。
【請求項７】
前記変調信号に第２の巡回プレフィックス部を供給し、
時間領域において、巡回プレフィックスパイロットサンプルを、前記変調信号の該第２の巡回プレフィックス部に挿入する、
巡回プレフィックスプロセッサをさらに含み、
前記巡回プレフィックスパイロットサンプルは、前記プリアンブルシンボルの前記前方部の前記前方パイロットサンプルに関係づけられた所定の複数のオーバーサンプリングされた時間領域サンプルのコピーを含む、
請求項６に記載の送信機。
【請求項８】
請求項６または７に記載の送信信号を受信する受信機であって、
前記受信した受信信号を復調し、それにより復調信号を生成する、復調部と、
前記復調信号から信号フレームを検出する、信号フレーム検出器であって、前記信号フレームは、請求項１から５のいずれか１項に記載の生成されたプリアンブルシンボルを含む、信号フレーム検出器と、
前記信号フレームの前記検出は、前記復調信号と前記復調信号の遅延したものとの間の自己相関値の計算に基づいて粗時間同期を実行することを含み、前記復調信号の遅延したものには、前記復調信号の前記プリアンブルシンボルの前記前方部が、前記遅延した前記復調信号の前記プリアンブルシンボルの前記後方部と一致するように、所定の遅延が付与され、
前記信号フレームの前記検出の後に、前記信号フレームの前記第２の巡回プレフィックス部と前記プリアンブルシンボルとに基づいて、チャネル推定を実行する、チャネル推定器と、
前記信号フレームの前記検出の後に、所定のスクランブル系列に従って、前記プリアンブルシンボルの前記複数の連続するサンプルのブロックを逆スクランブルする、逆スクランブル部と、
を含む、受信機。
【請求項９】
前記プリアンブルシンボルの前記前方部及び前記後方部に関係づけられたサンプルをゼロにし、それにより、変更されたプリアンブルシンボルを得て、
ＤＦＴ演算により、前記変更されたプリアンブルシンボルの前記オーバーサンプリングされた時間領域サンプルを、周波数領域サンプルに変換し、 
前記変更されたプリアンブルシンボルの複数の連続するサンプルのブロックの各々に関連付けられた前記周波数領域サンプルの振幅の平均化に基づいて、粗周波数同期を実行する、信号プロセッサをさらに含む、請求項８に記載の受信機。
【請求項１０】
少なくとも１つのプリアンブルシンボルを生成するシンボル生成方法であって、
前方部、中央部、及び後方部を有するベクトルを供給すること、前記中央部は第１の部分と第２の部分とをそれぞれ含む複数の連続するブロックに配置され、
時間領域において、
前記前方部に前方パイロットサンプルを、
前記中央部に複数の連続するサンプルのブロックを、
前記後方部に後方パイロットサンプルを
挿入すること、
前記前方パイロットサンプル及び前記後方パイロットサンプルは、類似の相関系列を搬送するよう構成され、
前記複数の連続するサンプルのブロックのそれぞれは、前記中央部の前記第１の部分及び前記第２の部分にそれぞれ適合するように構成された第１部及び第２部に配置され、各前記第１部は所定の基準情報を搬送するように構成されたパイロットサンプルを含み、少なくとも１つの前記第２部は信号データを搬送するように構成されたデータサンプルを含み、
所定のオーバーサンプリングレートに従って前記ベクトルのＤＦＴ−拡散−ＯＦＤＭ変調を実行すること、
前記ベクトルの時間領域サンプルは、離散フーリエ変換、ＤＦＴ、演算によって、周波数領域に変換され、それにより、周波数領域サンプルが生成され、
前記周波数領域サンプルは、逆離散フーリエ変換、ＩＤＦＴ、演算によって、時間領域に変換され、それによって、オーバーサンプルされた時間領域サンプルが生成される、
を含む、シンボル生成方法。
【請求項１１】
請求項１０に記載のシンボル生成方法であって、
前記前方部は巡回ポストフィックス部を含み、前記後方部は第１の巡回プレフィックス部を含み、前記方法はさらに、
時間領域において、
巡回ポストフィックスパイロットサンプルを前記巡回ポストフィックス部に、
巡回プレフィックスパイロットサンプルを前記第１のプレフィックス部に
挿入することを含み、
前記巡回ポストフィックスパイロットサンプルは、前記前方部の所定の複数の前方パイロットサンプルのコピーを含み、
前記巡回プレフィックスパイロットサンプルは、前記後方部の所定の複数の後方パイロットサンプルのコピーを含む、シンボル生成方法。
【請求項１２】
請求項１０または１１に記載のシンボル生成方法であって、
前記ＤＦＴ−拡散−ＯＦＤＭ変調を実行する前に、該方法はさらに、所定のスクランブル系列に従って、前記プリアンブルシンボルの前記複数の連続するサンプルのブロックをスクランブルすること、
を含む、シンボル生成方法。
【請求項１３】
請求項１０から１２のいずれか１項に記載のシンボル生成方法であって、
前記ＤＦＴ−拡散−ＯＦＤＭ変調を実行する前に、前記方法はさらに、
前記前方部に関係づけられた第１の元のサンプルが前記ＤＦＴ−拡散−ＯＦＤＭ変調のサンプリング時点に整列されるように、前記後方部に関係づけられた第１の元のサンプルが前記ＤＦＴ−拡散−ＯＦＤＭ変調のサンプリング時点に整列されるよう、前記後方部の前記時間領域サンプルを、時間領域で遅延させること
を含む、シンボル生成方法。
【請求項１４】
請求項１０から１２のいずれか１項に記載のシンボル生成方法であって、
前記ＤＦＴ−拡散−ＯＦＤＭ変調を実行することは、
前記後方部に対する別個のＤＦＴ−拡散−ＯＦＤＭ変調を実行することと、
前記前方部に関係づけられた第１の元のサンプルが前記ＤＦＴ−拡散−ＯＦＤＭ変調のサンプリング時点に整列されるように、前記後方部に関係づけられた第１の元のサンプルが前記ＤＦＴ−拡散−ＯＦＤＭ変調のサンプリング時点に整列されるよう、前記後方部に関係づけられた前記周波数領域サンプルに、周波数領域において、線形移相を適用すること、をさらに含む、シンボル生成方法。
【請求項１５】
信号を送信する送信方法であって、
請求項１０から１４のいずれか１項に記載のプリアンブルシンボルを供給すること、
前記生成されたプリアンブルシンボルを含む少なくとも１つの信号フレームを供給すること、
所定の多重化スキームに従って、前記信号フレームを変調し、それにより、変調信号を生成すること、及び、
少なくとも１つの送信チャネルを介して、前記変調信号を送信すること、
を含み、
前記信号フレームは、第２の巡回プレフィックス部を供給し、
前記信号フレームを生成することは、時間領域において、巡回プレフィックスパイロットサンプルを、前記信号フレームの前記第２の巡回プレフィックス部に挿入することを含み、
前記巡回プレフィックスパイロットサンプルは、前記プリアンブルシンボルの前記前方部の所定の複数の前方パイロットサンプルのコピーを含む、送信方法。
【請求項１６】
請求項１５に記載の送信信号を受信する、受信方法であって、
前記受信した受信信号を復調し、それにより復調信号を生成すること、
前記復調信号から信号フレームを検出すること、前記信号フレームは、請求項１０乃至１４のいずれか１項に記載の方法に従って生成されたプリアンブルシンボルを含む、
前記信号フレームを検出することは、前記復調信号と前記復調信号の遅延したものとの間の自己相関値の計算に基づいて粗時間同期を実行することを含み、
前記復調信号の遅延したものには、前記復調信号の該プリアンブルシンボルの前記前方部が、前記遅延した前記復調信号の該プリアンブルシンボルの前記後方部と一致するように、所定の遅延が付与され、
前記信号フレームの前記検出の後に、前記信号フレームの前記第２の巡回プレフィックス部と前記プリアンブルシンボルとに基づいて、チャネル推定を実行すること、及び、
前記信号フレームの前記検出の後に、所定のスクランブル系列に従って、前記プリアンブルシンボルの前記複数の連続するサンプルのブロックを逆スクランブルすること、
を含む、受信方法。
【請求項１７】
前記プリアンブルシンボルの前記前方部及び前記後方部に関係づけられたサンプルをゼロにし、それにより、変更されたプリアンブルシンボルを得ること、
ＤＦＴ演算により、前記変更されたプリアンブルシンボルの前記オーバーサンプリングされた時間領域サンプルを、周波数領域サンプルに変換すること、及び、
前記変更されたプリアンブルシンボルの複数の連続するサンプルのブロックの各々に関連付けられた前記周波数領域サンプルの振幅の平均化に基づいて、粗周波数同期を実行すること、をさらに含む、請求項１６に記載の受信方法。
【発明の詳細な説明】
【技術分野】
【０００１】
本出願は、プリアンブルシンボルを生成し、プリアンブルシンボルを含む信号を送信及び受信する装置及び方法に関する。
【背景技術】
【０００２】
広帯域通信システムにおいては、直交周波数分割多重（ＯＦＤＭ）技術が広く採用されている。有望な技術として、ＯＦＤＭは、欧州第二世代デジタルビデオ放送規格（ＤＶＢ−Ｔ２）及び他のデジタルテレビ放送ソリューションに適用されている。
【０００３】
固定、ハンドヘルド及びモバイル受信のような様々なアプリケーションシナリオに対応するため、ＤＶＢ−Ｔ２は、通常のＯＦＤＭシンボルの各データフレームに先行するＰ１シンボルと呼ばれるプリアンブルシンボルを導入する。Ｐ１シンボルは、時間及び粗い周波数同期を可能にし、その後に到来するデータを復号するための信号データを搬送する。
【０００４】
Ｐ１シンボルは、Ｓ１及びＳ２と呼ばれる２組の直交相補系列を利用することにより、異なる信号データを伝達する。受信機において、両方の組における全ての可能な系列は、整合されたケースを見出すために、受信した信号系列と関係づけられている。したがって、多数の相関が必要であり、このため、信号検出のためには、高度に複雑化された計算が必要になる。
【０００５】
しかし、チャネル推定及びデータ復調のような後続の処理を実行する受信機にとって、信号データの迅速で信頼性のある検出が重要である。
【０００６】
したがって、同等以上の同期化機能を提供しつつ、より低い複雑性で、Ｐ１シンボルの少なくとも同等の信号化の目的を達成するプリアンブルシンボルが必要である。さらに、衛星伝送のような電力制約のある状況下では、低ピーク対平均電力比（ＰＡＰＲ）を有するプリアンブルシンボルも必要である。
【発明の概要】
【発明が解決しようとする課題】
【０００７】
本出願は、添付の請求の範囲に記載されるように、プリアンブルシンボルを生成するための装置及び方法を提供する。本出願はまた、添付の請求の範囲に記載されるように、このプリアンブルシンボルを含む信号を送信及び受信する装置及び方法を提供する。
【図面の簡単な説明】
【０００８】
提案された解決策のさらなる詳細、態様及び実施形態は、例としてのみ、図面を参照して説明される。図面において、類似またはほぼ同じ参照番号は、類似または機能的にほぼ同じ要素を識別するために用いられる。図面中の要素は、単純化及び明瞭化のために図示されており、必ずしも縮尺どおりに描かれてはいない。また、一般に、点線で示される機能ボックスは任意である。
【０００９】
【図１】図１は、本出願の実施形態による、例示的な通信システムを示すブロック図である。
【図２】図２は、本出願の実施形態による、例示的な送信機を示すブロック図である。
【図２Ａ】図２Ａは、本出願の実施形態による、例示的な複数の信号フレームを示す。
【図２Ｂ】図２Ｂは、図２Ａの信号フレームに関係づけられた変調信号を示す。
【図３】図３は、本出願の実施形態による、例示的なシンボル生成器を示すブロック図である。
【図３Ａ】図３Ａは、本出願の実施形態による、例示的なベクトルを示す。
【図３Ｂ】図３Ｂは、本出願の実施形態による、例示的なベクトルを示す。
【図３Ｃ】図３Ｃは、本出願の実施形態による、例示的なベクトルを示す。
【図４】図４は、本出願の実施形態による、例示的な受信機を示す。
【図４Ａ】図４Ａは、本出願の実施形態による、例示的な復調信号及びこの復調信号の遅延した信号を示すブロック図である。
【図５】図５は、本出願の実施形態による、シンボル生成方法のフローチャートである。
【図６】図６は、本出願の実施形態による、送信方法のフローチャートである。
【図７】図７は、本出願の実施形態による、受信方法のフローチャートである。
【発明を実施するための形態】
【００１０】
埋め込まれた信号データの低い複雑性での迅速かつ確実な検出と共に、頑強で簡単なフレーム検出及び同期を達成するプリアンブルシンボルを提供するために、本出願の実施形態は、前方部分、中央部分及び後方部分を示す３つの部分を有するプリアンブルシンボルを提案する。この前方部分及び後方部分は、プリアンブル検出、粗時間同期及び分数周波数誤差推定に使用される類似の相関系列を含む。一方、中央部分は、所定の基準情報、及び、粗周波数同期及びデータ搬送に使用される信号データを含むサンプルの連続したブロックを含む。
【００１１】
本出願は、ＯＦＤＭのための従来の検出及び同期技術が、本出願のプリアンブルを含む信号に直ちに適用され得るという効果を有する。実際、本出願のプリアンブルシンボルは、ＯＦＤＭ変調の変形である従来のＤＦＴ−s−ＯＦＤＭシンボルとして生成されるので、本出願のプリアンブルシンボルは、従来のＯＦＤＭベースのシンボルである。これに対して、本明細書の最初で言及したＰ１シンボルは、従来のＯＦＤＭシンボルではない。実際には、Ｐ１シンボルは、（部分Ａで示す）ＯＦＤＭシンボルであり、前方（部分Ｃで示す）及び後方（部分Ｂで示す）の２つのガードインターバルが付加されている。部分Ｃ及び部分Ｂは、所定のシフト周波数を有する部分Ａの、最初の５４２個のサンプルと残りの４８２個のサンプルのコピーである。
【００１２】
さらに、本出願のプリアンブルシンボルは、従来のＤＦＴ−ｓ−ＯＦＤＭシンボルとして生成されるので、プリアンブルシンボルは、粗い周波数同期にデータが間接的に寄与する基準サンプルと並行して信号データを搬送することができる。対照的に、Ｐ１シンボルでは、系列はシグナリングを示すために使用され、高度に複雑な計算を必要とする。
【００１３】
また、提案されたプリアンブルシンボルのもう一つの利点は、ＤＦＴ−s−ＯＦＤＭ変調が、送信されるオリジナルサンプルを循環的にオーバーサンプリングするので、生成された信号のピーク対平均パワー比（ＰＡＰＲ）を低く維持できることである。実際、これは、省電力のための低入力バックオフで電力増幅器を動作させることが要求される衛星伝送システムに特に適している。
【００１４】
最後に、本出願は、チャネル推定の実行を可能にするプリアンブルシンボルの前方部から導出された特定の巡回プレフィックスを提案する。
【００１５】
図１は、本出願のアプリケーションが実施される例示的な通信システム１０を示す。図１において、通信システム１０は、１つの送信機１００と、１つの受信機２００と、通信ネットワーク２０とを備えているが、一般に、通信システム１０は、１つ以上の送信機１００及び受信機２００を備えてもよい。
【００１６】
通信ネットワーク２０は、送信機１００と受信機２００との間のデータ転送をサポートするように構成され、一例では、通信ネットワーク２０は、衛星または地上通信ネットワークである。しかしながら、放送通信ネットワークのような他の通信ネットワークを企図することができる。
【００１７】
図２は、本出願とともに用いられる例示的な送信機１００を示す。図２において、送信機１００は、シンボル生成器１１０と、信号フレームプロセッサ１２０と、変調プロセッサ１３０と、送信部１５０とを備える。
【００１８】
本出願では、信号フレームプロセッサ１２０、変調プロセッサ１３０及び送信部１５０は、従来の広帯域通信システムで使用されるような、従来のプロセッサである。
【００１９】
送信機１００が動作中であるとき、シンボル生成器１１０は、少なくとも１つのプリアンブルシンボルＰｒを生成するように構成される。さらに、信号フレームプロセッサ１２０は、少なくとも１つの生成されたプリアンブルシンボルＰｒを含む少なくとも１つの信号フレームを供給するように構成される。
【００２０】
図２Ａは、プリアンブルシンボルＰｒ及びデータフレームＤｉ−１、Ｄｉ、Ｄｉ＋１、Ｄｉ＋２を含む、例示的な複数の信号フレームＦｉ−１、Ｆｉ、Ｆｉ＋１、Ｆｉ＋２を示す。図２Ａにおいて、プリアンブルシンボルＰｒは、信号フレームＦｉ−１、Ｆｉ、Ｆｉ＋１、Ｆｉ＋２の先頭に位置する。しかし、別の実施形態において、プリアンブルシンボルＰｒは、信号フレームＦｉ−１、Ｆｉ、Ｆｉ＋１、Ｆｉ＋２の末尾に位置してもよい。この場合、プリアンブルシンボルＰｒはポストアンブルとして知られている。
【００２１】
図２に戻って、変調プロセッサ１３０は、所定の多重化スキームに従って信号フレームを変調し、それにより、変調信号Ｓを生成するように構成される。一例では、この多重化スキームは、符号分割多重（ＣＤＭ）、時分割多重（ＴＤＭ）、周波数分割多重（ＦＤＭ）または直交周波数分割多重（ＯＦＤＭ）である。しかし、広帯域通信システムの当業者によって知られている他の多重化スキームを企図することができる。
【００２２】
最後に、送信部１５０は、少なくとも１つの伝送チャネルを介して変調信号Ｓを送信するように構成される。
【００２３】
一つの実施形態において、送信機１００は、
・変調信号Ｓに巡回プレフィックス部を供給し、
・時間領域において、巡回プレフィックスパイロットサンプルを、変調信号の巡回プレフィックス部に挿入するよう構成された巡回プレフィックスプロセッサ１４０をさらに備える。特に、この巡回プレフィックスパイロットサンプルは、プリアンブルシンボルＰｒの前方部の前方パイロットサンプルに関係づけられた所定の複数のオーバーサンプリングされた時間領域サンプルのコピーを含む。オーバーサンプリングされた時間領域サンプルに関して、図３に関連して以下に詳細に説明する。
【００２４】
図２Ｂは、変調信号Ｓｉの先頭に付加された巡回プレフィックスＣＰを有する、図２Ａの信号フレームＦｉに関係づけられた変調信号Ｓｉを示す。図２Ｂの例では、巡回プレフィックスパイロットサンプルは、変調信号Ｓｉの前に挿入される信号フレームＦｉのプリアンブルシンボルＰｒの前方部のエンドサンプルのコピーに対応する。
【００２５】
図３は、少なくとも１つのプリアンブルシンボルＰｒを生成するために使用することができる例示的なシンボル生成器１１０を示す。図３において、シンボル生成器１１０は、バッファ１１１と、シンボルプロセッサ１１２と、変調プロセッサ１１５とを備える。
【００２６】
本出願では、バッファ１１１、シンボルプロセッサ１１２及び変調プロセッサ１１５は、従来の広帯域通信システムで使用されるような従来のプロセッサである。
【００２７】
シンボル生成器１１０が動作中である場合、バッファ１１１は、前方部、中央部、及び後方部を有するベクトルを供給するように構成される。
【００２８】
図３Ａは、前方部３１と、中央部３２と、後方部３３とを含む例示的なベクトル３０を示している。図３Ａにおいて、中央部３２は、第１の部分３２１及び第２の部分３２２をそれぞれ含む複数の連続するブロック３２０に配置され、第２の部分３２２のサイズはゼロでもよい。図３Ａの例では、前方部３１はＫａ個のサンプルを含み、中央部３１はＫｂ個のサンプルを含み、後方部３３はＫｃ個のサンプルを含む。したがって、ベクトル３０は、
Ｋ＝Ｋａ＋Ｋｂ＋Ｋｃ                （１）
であるＫ個のサンプルを含む。
【００２９】
さらに、図３及び図３Ａに関連して、シンボルプロセッサ１１２は、時間領域において、
・前方パイロットサンプルを前方部３１に、 
・複数の連続するサンプルのブロックを中央部３２に、 
・後方パイロットサンプルを後方部３３に
挿入するよう構成される。
【００３０】
特に、前方パイロットサンプル及び後方パイロットサンプルは、類似の相関系列を搬送するように構成される。言い換えると、図３Ａに示すように、前方部３１及び後方部３３は、類似のサンプルの組を含む。一例では、前方部３１と後方部３３は、Ｋａ＝Ｋｃのように、同一のサンプルの組を含む。一例では、この相関系列は、定振幅零自己相関（ＣＡＺＡＣ）系列、擬似雑音系列、擬似ランダム符号系列、または良好な相関関係及び低電力変動特性を有する任意の他の適切な相関系列である。
【００３１】
さらに、複数の連続するサンプルのブロックの各々は、第１の部分３２１及び第２の部分３２２にそれぞれ適合するように構成された第１部及び第２部に配置される。さらに、各第１の部分は、所定の基準情報を搬送するように構成されたパイロットサンプルを含み、第２の部分の少なくとも１つは、信号データを搬送するように構成されたデータサンプルを含む。一例では、この信号データは、高速フーリエ変換（ＦＦＴ）サイズ、単一入力／単一出力及び多入力／単出力伝送モードなどの送信パラメータを含む。別の例では、この信号データは、デジタル映像放送技術において使用されるような伝送パラメータ信号（Ｔｒａｎｓｍｉｓｓｉｏｎ  Ｐａｒａｍｅｔｅｒ  Ｓｉｇｎａｌｉｎｇ）を含む。さらに別の例では、一部の第２部がデータサンプルを含む場合、残りの第２部を様々な所定の詰め物で詰めてもよい。実際には、所定の詰め物は、ＰＲＢＳ系列のような既知の系列の反復であってもよい。
【００３２】
一つの実施形態において、複数の連続するサンプルのブロックの各々は、同数のサンプルＫｂｌを含む。第１の例では、ベクトル３０のＫ個のサンプルの数は整数である。第２の例では、ベクトル３０のＫ個のサンプルの数は、Ｋｂｌの倍数である。その場合、連続するサンプルのブロックの数は、次のように定義される。
【数１】
2022501914.tif 000003
ここで、ｆｌｏｏｒ（ｘ）はｘ以下の最大の整数である。
【００３３】
図３に戻って、変調プロセッサ１１５は、所定のオーバーサンプリングレートに従って、ベクトル３０のＤＦＴ−拡散−ＯＦＤＭ変調を実施するように構成される。
【００３４】
特に、ベクトル３０の時間領域サンプルは、離散フーリエ変換（ＤＦＴ）演算によって周波数領域に変換され、それによって周波数領域サンプルが生成される。そのとき、この周波数領域サンプルは、マルチキャリア通信チャネルのサブキャリアのグループに関連付けられる。さらに、周波数領域サンプルは、逆離散フーリエ変換（ＩＤＦＴ）演算によって時間領域に変換され、それによって、オーバーサンプリングされた時間領域サンプルを生成する。
【００３５】
実際、ＤＦＴ−拡散−ＯＦＤＭ変調において、時間領域サンプルは、ＤＦＴによって周波数で最初に拡散される。２つの帯域エッジにヌルサブキャリヤを追加した後、拡散シンボルはＩＤＦＴによってＯＦＤＭ変調され、予想されるスペクトル形状を有する時間領域信号を得る。拡散のためのＤＦＴと、変調のためのＩＤＦＴとのこの組み合わせは、連続的時間補間における主要ｓｉｎｅ関数またはｓｉｎｃ関数のＤＦＴ補間における等化物である、ディリクレカーネルとしても知られているディリクレ波形でフィルタリングされる元のサンプルのオーバーサンプリングされたものとして単に理解され得る。
【００３６】
すなわち、図３Ａの例によれば、変調プロセッサ１１５は、前方部３１、中央部３２、後方部３３のそれぞれに含まれるサンプルを、ＯＦＤＭシンボル周期毎にＮ個のポイントが得られるように、Ｎ／Ｋのオーバーサンプリングレートでオーバーサンプリングする。したがって、図３Ａ（図示せず）の例では、前方部３１のオーバーサンプリングされたものはＮａ個のサンプル（Ｎａ＝Ｋａ＊Ｎ／Ｋ）を含み、中央部３１のオーバーサンプリングされたものはＮｂ個のサンプル（Ｎｂ＝Ｋｂ＊Ｎ／Ｋ）を含み、後方部３３のオーバーサンプリングされたものはＮｃ個のサンプル（Ｎｃ＝Ｋｃ＊Ｎ／Ｋ）を含む。したがって、ベクトル３０のオーバーサンプリングされたものは、Ｎ個のサンプルを含む。
Ｎ＝Ｎａ＋Ｎｂ＋Ｎｃ    （３）
であるＮ個のサンプルを含む。さらに、図３Ａの例では、前方部３１のオーバーサンプリングされたものの持続時間は、Ｔａ（Ｔａ＝Ｋａ＊Ｎ／Ｋ＊Ｔｓ、ただし、ＴｓはＤＦＴ−拡散−ＯＦＤＭ変調の後のサンプリング期間である）に等しく、中央部３１のオーバーサンプリングされたものの持続時間はＴｂ（Ｔｂ＝Ｋｂ＊Ｎ／Ｋ＊Ｔｓ）に等しく、後方部３３のオーバーサンプリングされたものの持続時間はＴｃ（Ｔｃ＝Ｋｃ＊Ｎ／Ｋ＊Ｔｓ）に等しい。したがって、ベクトル３０のオーバーサンプリングされたものの持続時間は、
Ｔ＝Ｔａ＋Ｔｂ＋Ｔｃ    （４）
に等しい。
【００３７】
シンボル生成器１１０の一つの実施形態において、バッファ１１１は、さらに、前方部３１に巡回ポストフィックス部を提供し、後方部３３に巡回プレフィックス部を提供するように構成される。
【００３８】
図３Ｂは、巡回ポストフィックス部３４と巡回プレフィックス部３５とを含むベクトル３０を示す。図３Ｂの例は、ＤＦＴ−拡散−ＯＦＤＭ変調の後では、前方部３１と後方部３３とが完全に等しくなるわけではないことを考慮している。これは、前方部３１と後方部３３のそれぞれが互いに広がるように循環的に適用されるオーバーサンプリング操作によるものであり、前方部３１と後方部３３とが共に中央部３２によって干渉される。この状況は、以下に説明するように、受信機２００における自己相関演算の性能の低下をもたらす。
【００３９】
したがって、図３Ｂの例は、前方部３１と後方部３３の両端に大体同じ広がり効果を得るとの効果を有する。実際には、時間ＴａとＴｃの間の信号の対応する２つの部分を実際に強く相関させるには少数のサンプルが必要である。導入されるサンプルの量は、前方部３１及び後方部３３を使用する時間同期のロバスト性と、中央部３２を用いて行われる周波数同期化との間のトレードオフとして確定されるべきである。この手法は、前方部３１と後方部３３の持続時間の延長として見ることができるが、相関を計算するために使用される部分は、実際には、両部の全持続時間よりも小さい。
【００４０】
また、図３及び図３Ｂに関連して、シンボルプロセッサ１１２は、時間領域において、
巡回ポストフィックスパイロットサンプルを、巡回ポストフィックス部３４に挿入し、
巡回プレフィックスパイロットサンプルを、巡回プレフィックス部３５に挿入する
よう構成される。
【００４１】
特に、巡回ポストフィックスパイロットサンプルは、前方部の所定の複数の前方パイロットサンプルのコピーを含む。また、巡回プレフィックスパイロットサンプルは、後方部の所定の複数の後方パイロットサンプルのコピーを含む。図３Ｂの例において、巡回ポストフィックスパイロットサンプルは、前方部３１の後に挿入される前方部３１の開始サンプルのコピーに対応する。また、巡回プレフィックスパイロットサンプルは、後方部３３の前に挿入される後方部３３の終了サンプルのコピーに対応する。
【００４２】
シンボル生成器１１０の別の実施形態において、ＤＦＴ−拡散−ＯＦＤＭ変調を実行する前に、シンボル生成器１１０は、スクランブル部１１３をさらに備え、スクランブル部１１３は、所定のスクランブル系列に従って、プリアンブルシンボルの複数の連続するサンプルのブロックをスクランブルするように構成される。一例では、この所定のスクランブル系列は、擬似乱数系列である。
【００４３】
図３Ｃは、スクランブル系列４０を含むベクトル３０を示す。以下に説明するように、スクランブル動作は、中央部３２に存在する反復パターンに起因するプリアンブルシンボルのスペクトルに現れるスペクトル線を平滑化することによって、受信レベルにおいて帯域外（ＯＯＢ）放射を低減する効果を有する。
【００４４】
図３Ａを参照すると、ＤＦＴ−拡散−ＯＦＤＭ変調では、ベクトル３０のＫ個の元のサンプルが最終的な連続時間信号に現れるが、Ｎ個の生成されたサンプルの一部ではないことが知られている。例えば、後方部３３の第１のサンプルの正規化された位置は、次のように与えられる。
【数２】
2022501914.tif 000004
さらに、後方部３３の第１のサンプルは、τが整数である場合にのみ、Ｎ個の生成されたサンプルに属する。したがって、後方部３３のサンプルを整数位置に位置させるために、
【数３】
2022501914.tif 000005
による負の遅延値を適用してもよい。ここで、ｆｌｏｏｒ（ｘ）はｘ以下の最大の整数である。
【００４５】
この負の遅延値Δτは、時間領域または周波数領域で適用することができる。
【００４６】
例えば、時間領域において、ＤＦＴ−拡散−ＯＦＤＭ変調を実行する前に、シンボル生成器１１０は、遅延部１１４をさらに備える。前方部３１に関係づけられた第１の元のサンプルがＤＦＴ−拡散−ＯＦＤＭ変調のサンプリング時点に整列されるように、遅延部１１４は、後方部３３に関係づけられた第１の元のサンプルがＤＦＴ−拡散−ＯＦＤＭ変調のサンプリング時点に整列されるよう、後方部３３の時間領域サンプルを時間領域で遅延させるよう構成される。
【００４７】
別の例では、周波数領域において、変調プロセッサ１１５は、前方部３１及び中央部３１に対するＤＦＴ−拡散−ＯＦＤＭ変調とは別個の、後方部３３に対するＤＦＴ−拡散−ＯＦＤＭ変調を実行するようにさらに構成される。また、シンボル生成器１１０は、さらに、線形移相器（図示せず）を備える。前方部３１に関係づけられた第１の元のサンプルがＤＦＴ−拡散−ＯＦＤＭ変調のサンプリング時点に整列されるように、この線形移相器は、後方部３３に関係づけられた第１の元のサンプルがＤＦＴ−拡散−ＯＦＤＭ変調のサンプリング時点に整列されるように、後方部３３に関係づけられた周波数領域サンプルへの線形移相を周波数領域で適用するよう構成される。最後に、シンボル生成器１１０は、ＤＦＴ−拡散−ＯＦＤＭ変調の線形性を利用することにより、別個のＤＦＴ−拡散−ＯＦＤＭ変調から得られた出力信号を付加してもよい。
【００４８】
送信機１００により送信される信号Ｓを受信するために用いられ得る受信機２００を例示的に示す図４に移ろう。図４において、受信機２００は、復調部２１０と、信号フレーム検出器２２０と、チャネル推定器２３０とを備える。
【００４９】
本出願では、信号フレーム検出器２２０及びチャネル推定器２３０は、従来の広帯域通信システムで使用されるような従来の処理部である。さらに、一つの実施形態において、信号フレーム検出器２２０は、所定の逆スクランブル系列を受信信号Ｓに適用するように構成される。所定の逆スクランブル系列は、送信機レベルで使用される所定のスクランブル系列に関連付けられる。実際には、所定の逆スクランブル系列のサイズは、受信信号Ｓに合わせる必要がある。上記の逆スクランブル動作は、中央部３２に存在する繰り返しパターンの周期的な文字を復元し、その後、粗周波数同期の実行を容易にする、との効果を有する。
【００５０】
受信機２００が動作中である場合、復調部２１０は、受信信号Ｓを復調するように構成され、それによって復調信号ｄＳを生成する。さらに、信号フレーム検出器２２０は、復調信号ｄＳから信号フレームを検出するように構成される。この信号フレームは、シンボル生成器１１０によって生成されたプリアンブルシンボルＰｒを含む。
【００５１】
特に、信号フレームの検出は、復調信号ｄＳと復調信号の遅延したものとの間の自己相関値の計算に基づいて粗時間同期を実行することを含む。その場合、復調信号ｄＳのプリアンブルシンボルＰｒの先頭部３１が遅延復調信号のプリアンブルシンボルＰｒの後方部３３と一致するように、復調信号の遅延したものには所定の遅延が付与される。一例では、所定の遅延は、
Δｄ＝（Ｋ−ＫＣ）＊（Ｎ／Ｋ）＊Ｔｓ      （７）
により規定される。
【００５２】
本出願では、粗時間同期は、おおよその同期タイミングを得ること、及び、キャリア周波数オフセットに関する特性を得ることを目的とする。この場合、係数の相関のピークを探索することにより、粗時間同期を求めることができる。さらに、受信機と送信機との間に周波数シフトが存在する場合、相関の最大値での複素サンプルの位相も、相関遅延に関するシフトのいわゆる分数部分を与えることが知られている。
【００５３】
図２Ｂ及び図４に関連して、図４Ａは、復調信号ｄＳ、及び、復調信号ｄＳの遅延したものｄｄＳを例示的に示す。図４Ａはまた、従来の相関及びピーク検出方法で一般に使用されているような、所定の遅延Δｄ及び従来のスライディング相関ウィンドウＷを示す。
【００５４】
図４に戻って、チャネル推定器２３０は、信号フレームの検出後に、信号フレームの巡回プレフィックス部とプリアンブルシンボルＰｒとに基づいて、チャネル推定を実行するように構成される。実際に、図２Ｂに示されるように、本出願の特定の巡回プレフィックスは、全体的な信号フレームに関係づけられる代わりに、前方部３１の前方パイロットサンプルに関係づけられる。したがって、チャネル推定器２３０は、プリアンブルシンボルＰｒの前方部３１の前方パイロットサンプルを抽出し、それをチャネル推定のための基準ＯＦＤＭシンボルとして使用することができる。その場合、前方パイロットサンプルによって搬送される相関系列は、受信機２００において既知であるべきである。この原理に従って、チャネル推定器２３０は、短いＯＦＤＭシンボルを使用してチャネルを推定することができる。前記チャネル推定は、ある意味では散乱ＯＦＤＭパイロットと同様に、規則的に間隔を置いたサブキャリアで実行することができ、生成された信号の良好なＰＡＰＲ特性を維持する。以下の刊行物は、チャネル推定に関するさらなる詳細を提供する。Ａ．Ｂｏｕｔｔｉｅｒ  ａｎｄ  Ｊ．Ｇｕｉｌｌｅｔ，“Ａ  ｌｏｗ−ＰＡＰＲ  ｌｏｗ−ｐｉｌｏｔ  ｏｖｅｒｈｅａｄ  Ｒｅｆｅｒｅｎｃｅ  Ｓｉｇｎａｌ  ｆｏｒ  ｔｈｅ  ＤＦＴ−ｓｐｒｅａｄ  ＯＦＤＭ  Ｍｏｄｕｌａｔｉｏｎ，”２０１８  ２５ｔｈ  Ｉｎｔｅｒｎａｔｉｏｎａｌ  Ｃｏｎｆｅｒｅｎｃｅ  ｏｎ  Ｔｅｌｅｃｏｍｍｕｎｉｃａｔｉｏｎｓ  （ＩＣＴ），Ｓｔ．Ｍａｌｏ，２０１８，  ｐｐ．１１０−１１５．
【００５５】
さらに、逆スクランブル部４４０は、信号フレームの検出の後、所定のスクランブル系列に従ってプリアンブルシンボルＰｒの複数の連続するサンプルのブロックの第２の部分を逆スクランブルするように構成される。この場合、送信機レベルで使用される所定のスクランブル系列は、受信機２００において既知であるべきである。一つの実施形態において、発生しうる時間同期誤差もなく、異なるタイミングのオフセットに逆スクランブルを適用することができる。
【００５６】
ここで、粗時間同期が行われると、粗周波数同期を行うことができる。
【００５７】
本出願では、粗周波数同期は、送信機１００の搬送周波数と受信機２００の搬送周波数との間に存在する可能性のあるシフトの推定を目的とする。ただし、その時点で、受信信号から分数周波数誤差が除去されているものとする。そして、単に、周波数領域サンプルの振幅をサンプルのブロック数を法として平均することにより、周波数シフトの整数部分を検出する必要がある この場合、周波数誤差の整数部分は、平均振幅の最大値の指標によって与えられる。
【００５８】
受信機２００の一つの実施形態において、図４に関連して、受信機２００は、信号プロセッサ２５０をさらに備える。信号プロセッサ２５０は、
プリアンブルシンボルＰｒの前方部３１及び後方部３３に関係づけられたサンプルをゼロにし、それにより、変更されたプリアンブルシンボルを得る、
ＤＦＴ演算により、変更されたプリアンブルシンボルのオーバーサンプリングされた時間領域サンプルを周波数領域のサンプルに変換する、 
変更されたプリアンブルシンボルの複数の連続するサンプルのブロックの各々に関連付けられた周波数領域サンプルの振幅の平均化に基づいて、粗周波数同期を実行する
ように構成される。
【００５９】
プリアンブルシンボルＰｒの中央部３２の配置は、エッジ部分をゼロにすることによって、受信したプリアンブルシンボルＰｒに対して実行されるＤＦＴを用いて整数周波数シフトの検出を可能にすることを意味することを理解すべきである。実際、ＤＦＴ動作の後、結果として生じる信号は、周波数領域のサンプルを含み、サンプルの各ブロックに関係づけられたサブキャリアごとにスペクトル線を含むことに気付くであろう。その場合、信号データを搬送するサンプルの数は、スペクトル線のレベルより下に位置する所定のレベルのノイズをもたらす。さらに、信号データの挿入は、信号データを搬送させる、繰り返し周期の長さを調整する、ＯＯＢ放射のレベルを制御するなど、いくつかの他の目的を達成する。
【００６０】
最後に、チャネル推定、粗時間同期及び粗周波同期が実行されると、受信機２００は、高いレベルの性能を有する信号フレームから信号データを抽出することができ、したがって、信号データの符号化に必要な冗長度を低減できる。さらに、チャネル推定値の知識は、専用パイロットシンボルを挿入する必要なく、受信機２００に後続のシンボルを復調させることができる。
【００６１】
本出願の適用をより良く理解するために、ここで、提案された解決法を実施する方法の実施形態を示す図５、６、７を参照する。
【００６２】
図５は、既に説明したように、プリアンブルシンボルＰｒを生成するためのシンボル生成方法４００を示す。シンボル生成方法４００は、
４１０において、前方部３１、中央部３２及び後方部３３を有するベクトル３０を提供することと、該中央部は、それぞれが第１の部分３２１及び第２の部分３２２を含む複数の連続したブロック３２０に配置され、 
４２０において、時間領域において、 
該前方部に、前方パイロットサンプルを挿入し、
該中央部に、複数の連続するサンプルのブロックを挿入し、 
該後方部に、後方パイロットサンプルを挿入する
こととを含み、
該前方パイロットサンプル及び該後方パイロットサンプルは、類似の相関系列を搬送するように構成され、 
該複数の連続するサンプルのブロックのそれぞれは、第１の部分３２１及び第２の部分３２２にそれぞれ適合するように構成された第１部及び第２部に配置され、各第１部は、所定の基準情報を搬送するように構成されたパイロットサンプルを含み、少なくとも１つの第２部は、信号データを搬送するように構成されたデータサンプルを含み、 
任意で、４２１において、該前方部は巡回ポストフィックス部を含み、該後方部は第１の巡回プレフィックス部を含む場合、該シンボル生成方法４００は、時間領域において、
巡回ポストフィックスパイロットサンプルを該前方部３１の巡回ポストフィックス部に挿入し、 
巡回プレフィックスパイロットサンプルを、該後方部３３の該第１の巡回プレフィックス部に挿入し、
該巡回ポストフィックスパイロットサンプルは、前方部３１の予め定められた複数の前方パイロットサンプルのコピーを含み、 
該巡回プレフィックスパイロットサンプルは、後方部３３の予め定められた複数の後方パイロットサンプルのコピーを含み、
任意で、４２２において、ＤＦＴ−拡散−ＯＦＤＭ変調を実行する前に、該シンボル生成方法４００は、該プリアンブルシンボルの複数の連続するサンプルのブロックを、予め定められたスクランブル系列に従って、スクランブルすることをさらに含み、
任意で、４２３において、該前方部３１に関係づけられた第１の元のサンプルがＤＦＴ−拡散−ＯＦＤＭ変調のサンプリング時点に位置合わせされるように、 ＤＦＴ−拡散−ＯＦＤＭ変調を実行する前に、該シンボル生成方法４００は、該後方部３３に関係づけられた第１の元のサンプルがＤＦＴ−拡散−ＯＦＤＭ変調のサンプリング時点上に位置合わせされるよう、該時間領域において、該後方部の時間領域サンプルを遅延させることを含み、
４３０において、所定のオーバーサンプリングレートに従って該ベクトルのＤＦＴ−拡散−ＯＦＤＭ変調を実行し、
該ベクトルの該時間領域サンプルは、離散フーリエ変換（ＤＦＴ）演算により、周波数領域に変換され、これにより、周波数領域のサンプルを生成し、
該周波数領域サンプルは、逆離散フーリエ変換（ＩＤＦＴ）演算によって時間領域に変換され、これにより、オーバーサンプリングされた時間領域サンプルを生成し、 
任意で（図示せず）、ＤＦＴ−拡散−ＯＦＤＭ変調の実行は、
該後方部について別個のＤＦＴ−拡散−ＯＦＤＭ変調を実行することと、
該前方部３１に関係づけられた該第１の元のサンプルがＤＦＴ−拡散−ＯＦＤＭ変調のサンプリング時点上に位置合わせされるように、該後方部に関係づけられた該周波数領域サンプルへの線形移相を、該後方部３３に関係づけられた該第１の元のサンプルがＤＦＴ−拡散−ＯＦＤＭ変調のサンプリング時点上に整列されるよう、該周波数領域で適用する
ことを含む。
【００６３】
図６は、既に説明したように、送信信号Ｓを生成するための送信方法５００を示す。該送信方法５００は、
５１０において、該シンボル生成方法４００にしたがってプリアンブルシンボルＰｒを提供する、
５２０において、該生成されたプリアンブルシンボルＰｒを含む少なくとも１つの信号フレームを提供する、
５３０において、所定の多重方式に従って該信号フレームを変調し、それにより、変調された信号を生成する、
５４０において、該変調された信号を少なくとも１つの伝送チャネルを介して送信する、
ことを含み、
該信号フレームは巡回プレフィックス部を含み、
該信号フレームを生成することは、該時間領域において、該信号フレームの該巡回プレフィックス部に巡回プレフィックスパイロットサンプルを挿入することを含み、
該巡回プレフィックスパイロットサンプルは、前記プリアンブルシンボルの前方部の予め定められた複数の前方パイロットサンプルのコピーを含む。
【００６４】
図７は、既に説明したように、該送信方法５００によって送信された信号Ｓを受信するための受信方法６００を示す。該受信方法６００は、
６１０において、該受信信号Ｓを復調し、それにより復調信号を生成する、 
６２０において、該復調信号から信号フレームを検出する、該信号フレームは該シンボル生成方法４００にしたがって生成された該プリアンブルシンボルＰｒを含む、 
該信号フレームの検出は、既に説明したように、該復調信号ｄＳと該復調信号の遅延されたものとの間の自己相関値を計算することに基づいて粗時間同期を実行することを含み、
６３０において、該信号フレームの検出後、該信号フレームの該巡回プレフィックス部と該プリアンブルシンボルとに基づいてチャネル推定を実行する、
６４０において、該信号フレームの検出後、該プリアンブルシンボルの該複数の連続するサンプルのブロックを、所定のスクランブル系列に従って逆スクランブルする
ことを含む。
【００６５】
該受信方法６００の実施形態において、 
６５０において、該プリアンブルシンボルの該前方部及び該後方部に関連付けられた該サンプルをゼロ化し、それにより、変更されたプリアンブルシンボルを得る、 
６６０において、ＤＦＴ演算によって、該変更されたプリアンブルシンボルのオーバーサンプリングされた時間領域サンプルを、周波数領域のサンプルに変換し、
６７０において、該変更されたプリアンブルシンボルの該複数の連続するサンプルのブロックの各々に関連付けられた該周波数領域サンプルの該振幅を平均化することに基づいて粗周波数同期を実行する、
ことを含む。
【００６６】
上記提案された方法は、非一時的なコンピュータ可読記憶媒体に具現化されたコンピュータプログラムによって実行されてもよい。したがって、上記提案された方法を実行するために、コンピュータシステムによって実行可能な命令を含むコンピュータプログラム製品も主張される。
【図１】
2022501914.tif 000006
【図２】
2022501914.tif 000007
【図２Ａ】
2022501914.tif 000008
【図２Ｂ】
2022501914.tif 000009
【図３】
2022501914.tif 000010
【図３Ａ】
2022501914.tif 000011
【図３Ｂ】
2022501914.tif 000012
【図３Ｃ】
2022501914.tif 000013
【図４】
2022501914.tif 000014
【図４Ａ】
2022501914.tif 000015
【図５】
2022501914.tif 000016
【図６】
2022501914.tif 000017
【図７】
2022501914.tif 000018
【国際調査報告】
2022501914.tif 000019
2022501914.tif 000020